(57)【要約】【課題】本発明は、市販のティッシュペーパー箱のサイズのばらつきの内、縦および高さに関しては幾らでもばらつきを許容でき、幅に関しては、現在の市販品のばらつきを許容できて、しっかりと保持可能なティッシュペーパー箱ホルダーを提供することを目的とする。【解決手段】本発明のティッシュペーパー箱ホルダーは、四角に打抜いた金属板の左右２箇所に折り曲げ可能な折り曲げ部１１を設け、さらに折り曲げ部１１と左右両端との間の２箇所に折り曲げ可能な端部折り曲げ部１２を設け、打抜いた金属板の外周端面を覆うようにゴム質の材料でなる被覆材１３を金属板に装着又は接着し、左右２箇所の折り曲げ部１１の間の底板部１４の複数個所に止着用穴１８を設けた構成とする。【選択図】    図１
2006320686.tif 000002
【特許請求の範囲】
【請求項１】
四角に打ち抜いた金属板の左右２箇所に折り曲げ可能になるように加工した折り曲げ部（１１）を設け、さらに２箇所の折り曲げ部（１１）と左右両端との間の２箇所に折り曲げ可能になるように加工した端部折り曲げ部（１２）を設け、少なくとも打ち抜いた金属板の外周端面を覆うようにゴム質の材料でなる被覆材（１３）を金属板に装着又は接着又はコーティングし、左右２箇所の折り曲げ部（１１）の間の底板部（１４）の複数個所に止着用穴（１８）を設けてなるティッシュペーパー箱ホルダー
【請求項２】
左右方向は折り曲げ部（１１）から端部側に伸びた長さであり、上下方向は中央から上下に対称の長さである四角形であって、左右の曲げ部（１１）の間に形成される底板部（１４）とはつながっているが他の３辺は打抜きされてなる取付用板部（２０）を形成し、この取付用板部（２０）にフック等に引っ掛けるためのフック用取付穴（１９）及び／又は止着用穴（１８）を抜き加工してなる請求項１記載のティッシュペーパー箱ホルダー。
【請求項３】
左右の折り曲げ部（１１）の間に形成される底板部（１４）又は折り曲げ部（１１）より端面側に形成される側面板部（１７）に両面テープまたは磁石（７２）を取り付けてなる請求項１〜２のいずれかに記載のティッシュペーパー箱ホルダー。
【発明の詳細な説明】
【技術分野】
【０００１】  本発明は、ティッシュペーパーを収納したティッシュペーパー箱を保持して使い勝手をよくするティッシュペーパー箱ホルダーに関するものである。
【背景技術】
【０００２】  ティッシュペーパーは便利がいいものであり、箱に入れたティッシュペーパーは使い易くて特に便利がよいものであるが、用がない時には、箱が嵩張って邪魔になることティッシュペーパーを片手で取り出そうとすると箱が一緒に動いて取り出し難いなどの使い勝手が悪い面がある。そのため、このティッシュペーパー箱をしっかりと保持し、かつ、机の側面、テーブルの下面、壁面、冷蔵庫の側面などに、簡単に取り付け出来るティッシュペーパー箱ホルダーの発明が期待され、各種の考案・発明が提案されている。
現在までに提案されたティッシュペーパー箱ホルダーを大きく分類すると箱全体収容型、箱上面保持型、箱側面保持型である。
箱全体収容型および箱上面保持型は、摩擦抵抗も併用することがあるにしても基本的には箱そのものを保持する構成である。例えば特開平１１−１３７４７６は図５の（ロ）のようにティッシュペーパー箱８０の両側面、底部、上面、の４面を側壁９１、基板底部９２、上壁９３により締め付ける構成である。
【特許文献１】特開平１１−１３７４７６
【実新文献１】
実開昭６０−４８７９２
【実新文献２】
登実３０８９８７５
【実新文献３】
登実３０３８８８６
箱側面保持型の中で幅一定の構成にしたものは、ティッシュペーパー箱の側面を単純に保持する構成である。
【実新文献４】
実開平３−９４１９６
【実新文献５】
実開昭６０−９１０９４
【実新文献６】
実開昭５５−２７６７７
【実新文献７】
実開昭５５−１２７５９６
箱側面保持型の中で保持部分を可動型の構成にしたものでは、挟持する部分の構成体が別々のものでティッシュペーパー箱を挟むように取り付ける構成のもの、また挟持する部分にばねを使って構成するものがある。
【実新文献８】
実開平６−６９１３９
【実新文献９】
登実３０８８１１６
本発明者が提案したものとして、箱側面保持型の中で保持部分を爪状にして構成するものがある。またこれに類似したものがある。【特許文献２】特開平１０−２０１６５９
【特許文献３】特願２００４−３５４６６２
【発明の開示】
【発明が解決しようとする課題】
【０００３】  以上述べた従来のティッシュペーパー箱ホルダーには色々な問題がある。これらの問題を以下に列記する。【０００４】  市販のティッシュペーパー箱のサイズ・重量は一定ではない。ティッシュペーパー箱のティッシュペーパー取出し口を上にしておいた場合、上から見た長方形の長さが短い方を幅、長い方を横幅、上下方向を高さということにして以下説明する。身近にあるものをみても幅１１５〜１２１ｍｍ、横幅２４３〜２４８ｍｍ、高さ５０〜９５ｍｍ、重量２４０〜４００ｇである。
例えば市販のティッシュペーパー箱の高さサイズがホルダーの高さよりも小さい場合、箱全体収容型および箱上面保持型では、上下方向の保持が出来ずに、がたがたする。逆にホルダーの高さよりもティッシュペーパー箱の高さが大きい場合、ティッシュペーパー箱が入らない。市販のティッシュペーパー箱のサイズは上記のようにばらつきがあるので、各種サイズのホルダーを提供することも考えられるが、そうしたとしてもティッシュペーパーのサイズを確認して購入する必要があり実際問題として使えないものであった。【０００５】  例えば市販のティッシュペーパー箱の幅サイズがホルダーの幅よりも小さい場合、箱側面保持型の中で幅一定の構成にしたものでは、保持が出来ず抜けてしまう。逆にホルダーの幅よりもティッシュペーパー箱の幅が大きい場合、ティッシュペーパー箱が入れ難いという問題があった。【０００６】  箱側面保持型の中で保持部分を可動型の構成にしたものでは、箱の幅のばらつきには対応できるけれども、挟持する部分の構成体が別々ものでは、着脱するときにずれを生じることがあるなどから保持し難く使い勝手が悪く、また挟持する部分にばねを使って構成するものでは構造が複雑になる欠点に加え箱を入れ難くいという欠点もあり、どちらも不便であった。【０００７】  このような従来の構成が有していた問題を解決する目的で、前記の特許文献２、特許文献３のように箱側面保持型の中で、ティッシュペーパー箱が挿入できる幅で、コの字状に形成された板体のコの字状に形成された両側面板に爪状を構成するティッシュペーパー箱ホルダーを本発明者が提案した。この特許文献３の発明は、市販のティッシュペーパー箱のサイズのばらつきの内、横幅および高さに関しては幾らでもばらつきを許容でき、幅に関しては、現在の市販品のばらつきを許容できて、しっかりと保持可能なティッシュペーパー箱ホルダーの提供を提案するものであった。
しかし、繰り返し試作試験をしていくことにより、従来の構成が有していた問題の内幾つかの問題を解決できないこと、量産するには問題点があることが分かった。
問題点１は、金属板爪部によってティッシュペーパー箱８０を保持することは、爪の先端をシャープにすると人に対して危険であり、安全を重視して先端を鈍らせると保持効果が極端に減少して実用に供しえなくなることである。
問題点２は、金属板を抜き加工した場合、バリが発生する。ホルダーは人が触るものであり特に端面のバリは擦り傷を負う危険性がある。これを防止するために商品価値を落とさないように目視の仕上がりを損なわずにバリ除去をするには大変な工数を要しコストアップが大き過ぎる。また端面をハゼ折押しつぶし加工することを試みたがこれも加工が非常に困難でありコストアップが大き過ぎる。
本発明は、これらの問題点を解決し、金属板を抜き加工した非常にシンプルな形態であるにもかかわらず機能としては市販のティッシュペーパー箱のサイズのばらつきの内、横幅および高さに関しては幾らでもばらつきを許容でき、幅に関しては、現在の市販品のばらつきを許容できて、しっかりと保持可能で、かつ安価であることという期待を満足できるティッシュペーパー箱ホルダーを提供するものである。
【課題を解決するための手段】
【０００８】  本発明の課題を解決するための請求項１に係る本発明は、図１の（イ）のように四角に打ち抜いた金属板の左右２箇所に折り曲げ可能になるように加工した折り曲げ部１１を設け、さらに２箇所の折り曲げ部１１と左右両端との間の２箇所に折り曲げ可能になるように加工した端部折り曲げ部１２を設け、少なくとも打ち抜いた金属板の外周端面を覆うようにゴム質の材料でなる図１の（ロ）のような被覆材１３を金属板に装着又は接着又はコーティングし、左右２箇所の折り曲げ部１１の間の底板部１４の複数個所に止着用穴１８を設けてなるティッシュペーパー箱ホルダーである。
上記請求項１に係る本発明の説明は生産から流通段階の姿を説明しているものであり、課題を解決するための手段の説明としては使用状態も含める必要があるが、下記の発明の効果の項で詳しく説明する。【０００９】  請求項２に係る本発明は、図２の（イ）のように、左右方向は折り曲げ部１１から端部側に伸びた長さであり、上下方向は中央から上下に対称の長さである四角形であって、左右の曲げ部１１の間に形成される底板部１４とはつながっているが他の３辺は打抜きされてなる取付用板部２０を形成し、この取付用板部２０にフック等に引っ掛けるためのフック用取付穴１９及び／又は止着用穴１８を抜き加工してなる請求項１に記載のティッシュペーパー箱ホルダーである。【００１０】  請求項３に係る本発明は、図７の（イ）、（ロ）のように、左右の折り曲げ部１１の間に形成される底板部１４又は折り曲げ部１１より端面側に形成される側面板部１７に両面テープまたは磁石を取り付けてなる請求項１または２に記載のティッシュペーパー箱ホルダーである。
【発明の効果】
【００１１】  発明の効果の説明に入る前に、各部の名称について述べるとともに、ティッシュペーパー箱ホルダー１として使用する状態にする手順について説明する。
四角に打ち抜いた金属板の左右２箇所に折り曲げ可能になるように加工した折り曲げ部１１を設け、さらに２箇所の折り曲げ部１１と左右両端との間の２箇所に折り曲げ可能になるように加工した端部折り曲げ部１２を設ける。ここで、折り曲げ部１１と端部折り曲げ部１２との間は側面板部の下側部１５、端部折り曲げ部１２から左右両端との間は側面板部の上側部１６と称することとする。また、側面板部の下側部１５と側面板部の上側部１６とを合わせた部分、即ち、折り曲げ部１１から左右両端との間は側面板部１７と称することとする。
図４の（イ）はフックにかける使い方ができる形態にするために取付用板部２０を設けた形態のものの内、曲げるときに上下の曲げ具合を揃えたいという場合の形態のものの模式平面図である。（ロ）、（ハ）は上図を側面から見た図であり、
手順第一として、（ロ）のように、折り曲げ部１１を境にして両側の側面板部１７をＣの方向に９０度以上曲げる。
手順第二として、（ハ）のように、端部折り曲げ部１２を境にして９０度以上曲げた方向と反対側Ｄの方向に曲げる。
上記のように端部折り曲げ部１２を境にして曲げることによって、図３の斜視図のように被覆材１３の端部折り曲げ部１２の部分４箇所が鈍角で突き出た状態を形成することになる。この突き出た部分のゴム質の材料からなっている被覆材１３の部分は人の指と同じように弾性があり、摩擦抵抗もある。これは４本の指先がティッシュペーパー箱８０を掴む姿である。従って、この部分を指先状接触面３０と称することとする。
手順第三として、両側の指先状接触面３０間の長さがティッシュペーパー箱８０の幅よりも短くなるように調整する。これにより使用する状態になる。【００１２】  折り曲げ部１１を境にして９０度以上曲げられた側面板部１７は、金属特有の弾性があって板バネの働きをする。そして、両側の指先状接触面３０間の長さがティッシュペーパー箱８０の幅よりも短くなるように調整されているので、ティッシュペーパー箱８０を挿入すると、指先状接触面３０が両側からティッシュペーパー箱８０の側面をバネ力によって押すことになる。図４の（ハ）のように、ティッシュペーパー箱８０を図４の場合上から差し込むとすると側面板部の上側部１６部分がテーパー状になっているので挿入し易く、挿入された後は、４箇所の指先状接触面３０によって保持されることになる。これは４本の指でしっかり保持しているのと同じ効果があって、しっかりティッシュペーパー箱８０を保持する効果がある。
このように「発明が解決しようとする課題」の項で
問題点１として挙げた「金属板爪部によってティッシュペーパー箱８０を保持することは、爪の先端をシャープにすると人に対して危険であり、安全を重視して先端を鈍らせると保持効果が極端に減少して実用に供しえなくなることである。」という問題は解決する。
また「発明が解決しようとする課題」の項で
問題点２として挙げた「金属板を抜き加工した場合、バリが発生する。ホルダーは人が触るものであり特に端面のバリは擦り傷を負う危険性がある。これを防止するために商品価値を落とさないように目視の仕上がりを損なわずにバリ除去をするには大変な工数を要しコストアップが大き過ぎる。また端面をハゼ折押しつぶし加工することを試みたがこれも加工が非常に困難でありコストアップが大き過ぎる。」という問題は「、少なくとも打ち抜いた金属板の外周端面を覆うようにゴム質の材料でなる図１の（ロ）のような被覆材１３を金属板に装着又は接着又はコーティング」ことによって解決する。
以上の説明のように抜き加工した金属板と被覆材１３とを適切に組み合わせること、及び金属板を曲げてティッシュペーパー箱ホルダー１の機能を創生することによって問題点１と問題点２を同時に解決することができたものである。【００１３】  図６のように、ティッシュペーパー箱８０の側面を保持する構成であるため、横幅および高さに関しては幾らでもばらつきを許容できる。ティッシュペーパー箱の幅のばらつきに関しても側面板部１７の柔軟性によって、ある程度吸収できる。ティッシュペーパー箱８０の幅が狭い場合には、図６の（イ）のように、指先状接触面３０が中央側に曲げられ、左右の指先状接触面３０間の距離が狭くなっていて、ティッシュペーパー箱８０を保持する。ティッシュペーパー箱８０の幅が広い場合には、図６の（ロ）のように、左右の指先状接触面３０が両側に押され側面板部１７が押し広げられて、指先状接触面３０間の距離が広くなり、ティッシュペーパー箱８０を保持する。このようにティッシュペーパー箱８０の狭い寸法Ａと広い寸法Ｂの差を側面板部１７の弾性によって吸収する効果がある。【００１４】  ティッシュペーパーを使いきって、箱を取り外したいときには、ティッシュペーパー箱８０を持って引き抜くこともできるし、側面板部の上側部１６を指によって広げる方向に押せば、容易にティッシュペーパー箱を取り出すことができる。
このように、市販のティッシュペーパー箱のサイズのばらつきの内、横幅および高さに関しては幾らでもばらつきを許容でき、幅に関しては、現在の市販品のばらつきを許容できて、しっかりと保持可能なティッシュペーパー箱ホルダーを提供することができる。【００１５】  請求項２の発明によると、本発明のティッシュペーパー箱ホルダーの取付け、取外しは木ネジ等による止着による以外に、フック等があるところでは簡単に引っ掛けて使用が可能であり、各所に簡単に移動が可能である。市販のフック等が使用できるので、止着するよりも取り付けが容易である。【００１６】  請求項３の発明によると、両面テープまたは磁石も装着可能であり、図７の（イ）のように両面テープ７１または磁石７２を底板部１４の一箇所又は複数個所に接着すること、また図７の（ロ）のように両面テープ７１または磁石７２を側面板部１７に接着することによって取り付けの自由度が非常に高くなる。側面板部１７に接着する場合は、図７の（ハ）のように側面板部１７の部分は折り曲げすることなく側面板部１７部分を例えばキッチン出窓の天井部分に取り付ける等の用途に使うと有効である。
木ネジ等によって止着するよりも取り付けが容易であるとともに壁面などに傷をつけることなく取り付けが可能であり、取り付け替えも簡単である。特に磁石では、金属の平面が確保できる場合には、至って容易に取り付け、取外しが可能で便利である。【００１７】  本発明のティッシュペーパー箱ホルダーは、前述のように、
金属板に被覆材１３をプラスすることによって金属板の機能をフルに発揮でき、かつ、安全で安心して使用できるティッシュペーパー箱ホルダーを提供するものであって、
差し込むことによって簡単にティッシュペーパー箱を取り付けることができて、まるで４本の指で掴んでいるように、しっかりとティッシュペーパー箱を保持でき、しかもティッシュペーパーを使いきって、箱を取り外したいときには、指によって、容易にティッシュペーパー箱を取り出すことができるという従来のティッシュペーパー箱ホルダーでは果たせなかった機能を持っている。
そしてプレス加工された金属板１枚プラス被覆材で実現できるティッシュペーパー箱ホルダーであるから、高機能が発揮されるにも関わらず安く製作でき、商品がユーザーに渡るまで、１枚の板状で流通することができるので、流通コスト、商品陳列コスト、倉庫代等々も安くおさまるというコストメリットがある。
そして、商品がユーザーに渡るまで、１枚の板状で流通することができることにより、さらに別の効果も生まれる。例えば企業等のＰＲ用贈答品等として使用できる。費用が手ごろであること、パーティ時の場合は持ち帰りに邪魔にならないこと、使ってみると非常に便利がよいこと、金属板表面にＰＲ用の印刷をしておくとティッシュペーパー箱を取り替える度に底板部の印刷を見ることで長年ＰＲ効果があること等々が期待され贈答品等として採用される効果がある。【００１８】  このようにユーザーが長年期待していた使い易くて、便利がよく、しかも安いティッシュペーパー箱ホルダーを提供できる。
【発明を実施するための最良の形態】
【００１９】  本発明に係るティッシュペーパー箱ホルダーの最良の実施形態について説明する。実施形態を分かり易く説明するため図を参照しながら順次説明する。【００２０】  図１の（イ）の実線ように金属板をプレス加工する。全周を打抜き加工する。左右対称の位置に折り曲げ可能になるように、折り曲げ部１１を形成するために小さな穴抜き加工する。この部分は、完全に穴抜きをせずに押し型加工でもよいし、Ｖ字ビード加工またはＲビード加工でもよい。２箇所の折り曲げ部１１と左右両端との間の２箇所に折り曲げ可能になるように、端部折り曲げ部１２を形成するために、小さな穴抜き加工する。これも折り曲げ部１１と同様に完全に穴抜きをせずに押し型加工でもよいし、Ｖ字ビード加工またはＲビード加工でもよい。止着用穴１８を形成するために、底板部１４の左右対称の位置に取付ネジ用の止着用穴１８を抜き加工する。左右の折り曲げ部１１の間の底板部１４の部分の幅は、１３０ｍｍで試作するとよい結果を得ているが、側面板部１７の長さによっては増減することが好ましい。底板部１４や側面板部１７の補強のため波加工などを施してもよい。また通常市場で見かけるティッシュペーパー箱８０の幅は１１５〜１２１ｍｍであるが、これよりも小さい場合や大きい場合が発生した場合には底板部１４の部分の幅は、複数種類準備することにしてもよい。
図１の（ロ）のようにゴムを成型加工する。このゴムの成型加工品を図１の（イ）の二点鎖線ように打抜き加工された金属板の全周に、図１の（イ）に示す断面をＡ−Ａ方向に見た図１の（ハ）に示すＡ−Ａ断面視図のような状態になるように装着する。ゴムの成型加工品は、装着に際して接着剤を勘合部分に塗布して接着してもよく、また図１の（イ）の二点鎖線部分又は打抜き加工された金属板の外周及び全面にゴムをコーティングしてもよい。またゴムと同等の性質がある材料であれば何でもよく、特に拘るものではない。
これでティッシュペーパー箱ホルダー１の最も単純な形態のものは完成する。【００２１】  ティッシュペーパー箱ホルダー１の形態は使い勝手の好みに対応するため図１の形態以外に図２のような形態のものも作成することができる。
図２の（イ）はフックにかける使い方ができる形態にすることが可能である。
前記の最も単純な形態のものと同様に全周を打抜き加工する。図２の（イ）のように、左右方向は折り曲げ部１１から端部側に伸びた長さであり、上下方向は中央から上下に対称の長さである四角形であって、左右の曲げ部１１の間に形成される底板部１４とはつながるようにし、他の３辺を打抜き、取付用板部２０を形成する。この取付用板部２０にフック等に引っ掛けるためのフック用取付穴１９及び／又は止着用穴１８を抜き加工する。左右対称の位置に折り曲げ可能になるように、取付用板部２０の部分を除き折り曲げ部１１を形成するために小さな穴抜き加工する。この部分は、完全に穴抜きをせずに押し型加工でもよいし、Ｖ字ビード加工またはＲビード加工でもよい。２箇所の折り曲げ部１１と左右両端との間の２箇所に折り曲げ可能になるように、取付用板部２０の部分を除き端部折り曲げ部１２を形成するために、小さな穴抜き加工する。これも折り曲げ部１１と同様に完全に穴抜きをせずに押し型加工でもよいし、Ｖ字ビード加工またはＲビード加工でもよい。止着用穴１８を形成するために、底板部１４の左右対称の位置に取付ネジ用の止着用穴１８を抜き加工する。前記の最も単純な形態のものと同様に、図１の（ロ）のようにゴムを成型加工する。このゴムの成型加工品を図２の（イ）の二点鎖線ように打抜き加工された金属板の全周に、図１の（イ）に示す断面をＡ−Ａ方向に見た図１の（ハ）に示すＡ−Ａ断面視図のような状態になるように装着する。ゴムの成型加工品は、装着に際して接着剤を勘合部分に塗布して接着してもよく、また図２の（イ）の二点鎖線部分又は打抜き加工された金属板の外周及び全面にゴムをコーティングしてもよい。またゴムと同等の性質がある材料であれば何でもよく、特に拘るものではない。
これでティッシュペーパー箱ホルダー１のフックにかける使い方ができる形態のものは完成する。
ここで言う完成とはティッシュペーパー箱ホルダーとして使用可能なことを意味するものではなく、出荷状態をいうものである。実際の使用に際しては、使用者が適度に曲げて使かうことになる。曲げて使う状況について次に説明する。【００２２】  図４の（イ）はフックにかける使い方ができる形態にするために取付用板部２０を設けた形態のものの内、曲げるときに上下の曲げ具合を揃えたいという場合の形態のものの模式平面図である。（ロ）、（ハ）は上図を側面から見た図であり、
手順第一として、（ロ）のように、折り曲げ部１１を境にして両側の側面板部１７をＣの方向に９０度以上曲げる。
手順第二として、（ハ）のように、端部折り曲げ部１２を境にして９０度以上曲げた方向と反対側Ｄの方向に曲げる。
手順第三として、両側の指先状接触面３０間の長さがティッシュペーパー箱８０の幅よりも短くなるように調整する。これだけで使用する状態になる。
この曲げ作業は、説明書を入れユーザーが行うものとする。曲げ加工したものを出荷する場合は、空気を運ぶようなことになり嵩張って流通コストが高くなる。しかし不器用な人向けに必要あれば曲げ加工したものを提供してもよい。【００２３】  側面板部１７、取付用板部２０の形態は、各種作ることができる。
図２の（ロ）のように、フックにかける使い方ができる形態にすることもないが、曲げ加工がし易いようにしたい場合には、四角打抜穴２１を設ける形態で打抜き加工してもよい。
図２の（ハ）のように、側面板部の上側部１６が上下繋がることなく取付用板部２０を長めにして、ここに止着用穴１８及びフック用取付穴１９を設ける形態で打抜き加工してもよい。
また図２の（ニ）、（ホ）のように、フック用取付穴１９は、横向きの長穴、縦向きの長穴にすることによってフックの形態に対して適合しやすくすることができる。
また取付用板部２０は、左右対称に設けることなく片側のみとすることもできる。【００２４】  本発明のティッシュペーパー箱ホルダーの取付け、取外しは木ネジ等による止着による以外に、両面テープ７１または磁石７２を接着するができる。
図７の（イ）のように両面テープ７１または磁石７２を底板部１４の一箇所又は複数個所接着することができる。また図７の（ロ）のように両面テープ７１または磁石７２を側面板部１７に接着することができる。この場合は、図７の（ハ）のように側面板部１７の部分は折り曲げすることなく側面板部１７部分を例えばキッチン出窓の天井部分に取り付ける等の用途に使うと有効である。
両面テープ７１、磁石７２とも、接着作業は、ユーザーが行うものとして説明書を入れてもよいし、不器用な人向けに接着したものを提供してもよい。【００２５】  以上述べたように、プレス加工した１枚の金属板によって、軽量・コンパクト・安価でかつ便利なティッシュペーパー箱ホルダーの提供を実現できる。
【産業上の利用可能性】
【００２６】  本発明によれば、軽量・コンパクト・安価でかつ便利なティッシュペーパー箱ホルダーが提供され、生活空間が改善されて快適な生活ができるなど極めて有用である。
【図面の簡単な説明】
【００２７】
【図１】ティッシュペーパー箱ホルダー１の使用前の状態を説明するための模式図であり、（イ）はティッシュペーパー箱ホルダー１の平面模式図、（ロ）は被覆材１３の平面図、（ロ）はＡ−Ａ断面視図の拡大図
【図２】図１以外の形態のティッシュペーパー箱ホルダー１を説明するための模式図であり、（イ）は、フックにかける使い方ができる形態にするために取付用板部２０を設けた形態のものの内、曲げるときに上下の曲げ具合を揃えたいという場合の形態のものの模式図、（ロ）は、フックにかける使い方はしないが、曲げ加工を容易にするために、左右方向は折り曲げ部１１と端部折り曲げ部１２付近との間の長さ、上下方向は中央から上下に対称の長さの四角打抜穴２１を設けたものの模式図、（ハ）は、フックにかける使い方ができる形態にするために取付用板部２０を設けた形態のものの内、側面板部１７を上下２分割してなるものの模式図、（ニ）は、横長のフック用取付穴１９を設けたものの模式図、（ホ）は、縦長のフック用取付穴１９を設けたものの模式図
【図３】フックにかける使い方ができる形態にするために取付用板部２０を設けた形態のものの内、曲げるときに上下の曲げ具合を揃えたいという場合の形態のものを例に、使用状態を分かり易く説明するための模式斜視図
【図４】ティッシュペーパー箱ホルダー１の使用前の状態と曲げて使用状態にする手順を分かり易く説明するための模式図であり、（イ）はフックにかける使い方ができる形態にするために取付用板部２０を設けた形態のものの内、曲げるときに上下の曲げ具合を揃えたいという場合の形態のものの模式平面図、（ロ）は上図を側面から見た図の内、側面板部１７を９０度以上曲げた状態の模式側面図、（ハ）は上図からさらに端部折り曲げ部１２を境にして９０度以上曲げた方向と反対側に曲げた状態の模式側面図
【図５】特許文献１の箱上面保持型ティッシュペーパー箱ホルダー９０の構成を説明する模式図であり、（イ）は斜視図、（ロ）はティッシュペーパー箱８０を取り付けたときの様子を分かり易く説明するための側面図
【図６】ティッシュペーパー箱８０を取り付けたときの様子を分かり易く説明するための使用状態に形成されたティッシュペーパー箱ホルダー１の模式図であり、（イ）は幅が狭いティッシュペーパー箱を想定した場合の側面図、（ロ）は幅が広いティッシュペーパー箱を想定した場合の側面図
【図７】ティッシュペーパー箱ホルダー１に両面テープ７１または磁石７２を接着することができることを説明するための模式図であり、（イ）は左右の折り曲げ部１１の間に形成される底板部１４に接着する図、（ロ）は曲げ部１１より端面側に形成される側面板部１７に接着する図
【符号の説明】
【００２８】    １    ティッシュペーパー箱ホルダー
１１  折り曲げ部
１２  端部折り曲げ部
１３  被覆材
１４  底板部
１５  側面板部の下側部
１６  側面板部の上側部
１７  側面板部（側面板部の下側部と上側部を合わせた部分）
１８  止着用穴
１９  フック用取付穴
２０  取付用板部
２１  四角打抜穴
３０  指先状接触面
７１  両面テープ
７２  磁石
８０  ティッシュペーパー箱
９０  箱上面保持型ティッシュペーパー箱ホルダー
９１  側壁
９２  基板底部
９３  上壁
【図１】
2006320686.tif 000003
【図２】
2006320686.tif 000004
【図３】
2006320686.tif 000005
【図４】
2006320686.tif 000006
【図５】
2006320686.tif 000007
【図６】
2006320686.tif 000008
【図７】
2006320686.tif 000009